(57)【要約】【課題】電子透かしの誤検出によって所定の暗号方式で暗号化された正規な蓄積媒体の再生も不可となってしまう。【解決手段】暗号化されていない場合にのみ電子透かし検出およびこれによる再生制限を行う。暗号化検出回路（１０）により所定の暗号方式で暗号化されていないことが検出され、電子透かし検出回路（２０）により電子透かし情報が検出された場合に、再生制限回路（３０）による再生停止を行う。暗号化検出回路（１０）により所定の暗号方式で暗号化されていることが検出された場合は、再生制限回路（３０）は再生を停止しない。【選択図】  図１
2006236562.tif 000002
【特許請求の範囲】
【請求項１】
蓄積媒体に記録された映像または音声情報を再生する再生装置において、
蓄積媒体に記録された映像または音声情報が所定の暗号方式で暗号化されているかどうかを検出する暗号化検出手段と、
蓄積媒体に記録された映像または音声情報が所定の暗号方式で暗号化されていない場合に映像または音声情報に重畳されている少なくとも複製禁止を含む複製管理情報を示す電子透かし情報を検出する電子透かし検出手段と、
蓄積媒体に記録された映像または音声情報が所定の暗号方式で暗号化されていない場合には電子透かし検出手段の検出結果によって何らかの複製管理情報が検出された時に映像または音声情報の再生を停止する再生制限手段
を有することを特徴とする再生装置。
【請求項２】
請求項１に記載の再生装置において、
蓄積媒体に記録された映像または音声情報が所定の暗号方式で暗号化されていない場合に蓄積媒体に記録された映像または音声情報が電子透かし検出手段において電子透かし情報を検出できるような正規な映像または音声情報であるかどうかを解析する情報解析手段を有し、
蓄積媒体に記録された映像または音声情報が所定の暗号方式で暗号化されていない場合に、情報解析手段によって電子透かし情報を検出できるような正規な映像または音声情報ではないと判定された時にも、前記再生制限手段は映像または音声情報の再生を停止する
ことを特徴とする再生装置。
【請求項３】
符号化された映像または音声情報が入力され、これを復号して映像または音声情報を出力する復号装置において、
暗号化された入力符号化データを解読してもとの符号化された映像または音声情報を復元する暗号解読手段と、
暗号解読手段を用いないで入力された符号化された映像または音声情報を直接復号する場合に復号した映像または音声情報に重畳されている少なくとも複製禁止を含む複製管理情報を示す電子透かし情報を検出する電子透かし検出手段と、
暗号解読手段を用いないで入力された符号化された映像または音声情報を直接復号する場合には、電子透かし検出手段によって何らかの複製管理情報が検出された時に映像または音声情報の出力を停止する出力制限手段
を有することを特徴とする復号装置。
【請求項４】
請求項１に記載の再生装置において、
複数の蓄積媒体の種類および蓄積媒体上の記録フォーマットを判別する媒体およびフォーマット判別手段を備え、
暗号化検出手段は前記複数の蓄積媒体の種類および蓄積媒体上の記録フォーマットそれぞれに定められた暗号方式で暗号化されているかどうかを検出する手段であり、
蓄積媒体に記録された映像または音声情報が、媒体およびフォーマット判別手段で判別された蓄積媒体の種類および蓄積媒体上の記録フォーマットで定められた暗号方式で暗号化されていない場合には、電子透かし検出手段の検出結果によって何らかの複製管理情報が検出された時に、再生制限手段は映像または音声情報の再生を停止する
ことを特徴とする再生装置。
【請求項５】
符号化された映像または音声情報が入力され、これを復号して映像または音声情報を出力する復号装置において、
暗号化された入力符号化データを解読してもとの符号化された映像または音声情報を復元する暗号解読手段と、
入力符号化データの供給装置との間の認証と暗号解読に必要なキー交換を行うＡＫＥ手段と、
ＡＫＥ手段で認証およびキー交換が成立しない状態で復号を開始した時に、復号した映像または音声情報に重畳されている少なくとも複製禁止を含む複製管理情報を示す電子透かし情報を検出する電子透かし検出手段と、
ＡＫＥ手段で認証およびキー交換が成立しない状態で復号を開始した時には、電子透かし検出手段によって何らかの複製管理情報が検出された時に、映像または音声情報の出力を停止する出力制限手段
を有することを特徴とする復号装置。
【発明の詳細な説明】
【技術分野】
【０００１】
本発明は著作権保護に関し、正規に販売あるいは配布された蓄積媒体および正規に記録された蓄積媒体は再生可能とし、違法に複製された媒体は再生不可とする再生装置、および、正規に販売あるいは配布された蓄積媒体および正規に記録された蓄積媒体から再生した符号は復号可能とし、違法に複製された媒体から再生した符号は復号不可とする復号装置に関する。
【背景技術】
【０００２】
ビデオディスク、ディジタルＶＴＲ、ディジタル放送の受信装置などにより得られる高画質のビデオ信号に対する著作権保護を確実に行うようにしたビデオ信号処理装置や、ビデオ信号処理方法、記録媒体に関する技術については、例えば、特開平１０−１７８６５６号公報に記載されている。また、コピー防止のための認証とKEY交換については、例えば、日経エレクトロニクス（NIKKEI ELECTRONICS 1998.3.23(NO712)P47〜P53）に記載されている。
【０００３】
【特許文献１】特開平１０−１７８６５６号公報
【非特許文献１】日経エレクトロニクス（NIKKEI ELECTRONICS 1998.3.23(NO712)P47〜P53）
【発明の開示】
【発明が解決しようとする課題】
【０００４】
前記公報には世代管理情報を用いた複製防止技術が示されている。しかし、違法に作成された蓄積媒体の再生を不可とする技術にまでは言及されていない。
【０００５】
複製防止を確実に行うためには、暗号化の技術が有効である。蓄積媒体に記録する映像または音声情報を暗号化し、契約を結んだ者にだけ暗号を解く鍵を供給することにより、違法に作成された蓄積媒体の再生を不可とすることができる。
【０００６】
しかし、暗号を解いて再生した映像または音声情報は自由に他の蓄積媒体に記録できてしまい、複製防止にならない。このような複製を防止するためには、世代管理情報を映像または音声情報上に、視聴しても検知できない形で重畳する、いわゆる電子透かし技術が有効である。すなわち、記録する映像または音声情報の電子透かしを検出して記録の制限を行ったり、再生した映像または音声情報の電子透かしを検出して再生の制限を行ったりして違法な複製および違法に複製された映像または音声情報の視聴の防止に役立てることができる。
【０００７】
暗号化技術と電子透かし技術を併用することにより、複製防止をより確実に行うことができる。すなわち、著作権を保護したい映像または音声情報には必ず電子透かしを付け、かつ蓄積媒体上では必ず暗号化するようにすればよい。しかし、従来の技術は、暗号化技術と電子透かし技術を併用した場合にどのようにして違法に作成された蓄積媒体の再生を不可とするかについて考慮されていなかった。特に、電子透かしの誤検出によって正規に販売あるいは配布された蓄積媒体および正規に記録された蓄積媒体の再生も不可となってしまう問題について考慮されていなかった。
【０００８】
本発明の目的は、暗号化と電子透かしを併用した場合に、違法に作成された蓄積媒体については視聴できないようにし、正規に作成され販売あるいは配布された蓄積媒体、あるいは正規の方法に従い記録した蓄積媒体については再生し視聴することのできる様にした技術、特に、電子透かしの誤検出によって正規に販売あるいは配布された蓄積媒体および正規に記録された蓄積媒体の再生および視聴も不可となってしまう問題を回避する技術を示し、これらの技術を用いた再生装置および復号装置を提供することである。
【課題を解決するための手段】
【０００９】
本発明に関する再生装置は、蓄積媒体に記録された映像または音声情報が所定の暗号方式で暗号化されているかどうかを検出する暗号化検出手段と、蓄積媒体に記録された映像または音声情報が所定の暗号方式で暗号化されていない場合に映像または音声情報に重畳されている少なくとも複製禁止を含む複製管理情報を示す電子透かし情報を検出する電子透かし検出手段と、蓄積媒体に記録された映像または音声情報が所定の暗号方式で暗号化されていない場合には電子透かし検出手段の検出結果によって何らかの複製管理情報が検出された時に映像または音声情報の再生を停止する再生制限手段を有することを特徴とする。
【００１０】
また、本発明に関する再生装置は、蓄積媒体に記録された映像または音声情報が所定の暗号方式で暗号化されていない場合に蓄積媒体に記録された映像または音声情報が電子透かし検出手段において電子透かし情報を検出できるような正規な映像または音声情報であるかどうかを解析する情報解析手段と、蓄積媒体に記録された映像または音声情報が所定の暗号方式で暗号化されていない場合には情報解析手段によって電子透かし情報を検出できるような正規な映像または音声情報ではないと判定された時にも映像または音声情報の再生を停止する再生制限手段を有することを特徴とする。
【００１１】
さらにまた、本発明に関する復号装置は、暗号化された入力符号化データを解読してもとの符号化された映像または音声情報を復元する暗号解読手段と、暗号解読手段を用いず入力符号化データを直接復号する場合に復号した映像または音声情報に重畳されている少なくとも複製禁止を含む複製管理情報を示す電子透かし情報を検出する電子透かし検出手段と、暗号解読手段を用いず入力符号化データを直接復号する場合には電子透かし検出手段によって何らかの複製管理情報が検出された時に映像または音声情報の出力を停止する出力制限手段を有することを特徴とする。
【００１２】
さらに、本発明に関する再生装置は、複数の蓄積媒体の種類および蓄積媒体上の記録フォーマットを判別する媒体およびフォーマット判別手段と、前記複数の蓄積媒体の種類および蓄積媒体上の記録フォーマットそれぞれに定められた暗号方式で暗号化されているかどうかを検出する暗号化検出手段と、蓄積媒体に記録された映像または音声情報が、媒体およびフォーマット判別手段で判別された蓄積媒体の種類および蓄積媒体上の記録フォーマットで定められた暗号方式で暗号化されていない場合には、電子透かし検出手段の検出結果によって何らかの複製管理情報が検出された時に、映像または音声情報の再生を停止する再生制限手段を有することを特徴とする。
【００１３】
また、本発明に関する復号装置は、暗号化された入力符号化データを解読してもとの符号化された映像または音声情報を復元する暗号解読手段と、入力符号化データの供給装置との間の認証と暗号解読に必要なキー交換を行うＡＫＥ(Authentication and Key Exchange)手段と、ＡＫＥ手段で認証およびキー交換が成立しない状態で復号を開始した時に、復号した映像または音声情報に重畳されている少なくとも複製禁止を含む複製管理情報を示す電子透かし情報を検出する電子透かし検出手段と、ＡＫＥ手段で認証およびキー交換が成立しない状態で復号を開始した時には、電子透かし検出手段によって何らかの複製管理情報が検出された時に、映像または音声情報の出力を停止する出力制限手段を有することを特徴とする。
【発明の効果】
【００１４】
本発明によれば、蓄積媒体に記録された映像または音声情報を再生する再生装置において、所定の暗号方式で暗号化されていない蓄積媒体については電子透かしがあれば再生を止められるので違法に複製された蓄積媒体の視聴を止めることができ、所定の暗号方式で暗号化されている正規な蓄積媒体については電子透かし情報が誤検出されたとしても確実に再生が行われる。
【００１５】
また、本発明によれば、電子透かし情報が検出されないように違法な暗号方式で暗号化されている場合にも再生を止めることができる。
【００１６】
さらにはまた、本発明によれば、符号化された映像または音声情報を復号する復号装置において、所定の暗号方式で暗号化されていない符号については電子透かしがあれば復号を止められるので違法に複製された蓄積媒体からの符号を復号しての視聴を止めることができ、所定の暗号方式で暗号化されている正規な符号については電子透かし情報が誤検出されたとしても確実に復号が行われる。
【００１７】
さらに、本発明によれば、異なる暗号方式が定められた複数種類の記録フォーマットの蓄積媒体を再生する場合にも、違法に複製された蓄積媒体の視聴を止めることができ、所定の暗号方式で暗号化されている正規な蓄積媒体については電子透かし情報が誤検出されたとしても確実に再生が行われる。
【００１８】
また、本発明によれば、ＡＫＥの動作しない違法に複製された蓄積媒体からの符号を復号しての視聴を止めることができ、ＡＫＥが動作する正規な符号については電子透かし情報が誤検出されたとしても確実に復号が行われる。
【発明を実施するための最良の形態】
【００１９】
以下、本発明の実施の形態を図面を用いて詳細に説明する。
【００２０】
図１は、本発明に係わる再生装置の実施例の信号の流れを示したブロック図である。図１において、１０は暗号化検出回路、２０は電子透かし検出回路、３０は再生制限回路、４０は蓄積媒体、５０は読み取り回路、６０は再生データ出力端子、１５０は再生判定回路である。
【００２１】
本実施例は、ＤＶＤ−ＲＯＭやＤＶＤ−ＲＡＭなどの蓄積媒体を再生するいわゆるドライブである。読み取り回路５０は蓄積媒体４０からデータを読み取り、読み取った符号化データを暗号化検出回路１０、電子透かし検出回路２０及び再生制限回路３０へ供給する。
【００２２】
例えば、ＤＶＤ―ＲＯＭでは、記録する映像情報の著作権を保護するため、ＭＰＥＧ２方式で圧縮符号化された動画像データを暗号化して記録する方式が用意されており、ＤＶＤ―ＲＡＭでも同様の方式が検討されている。また、暗号を解いてしまった映像情報に対しても複製の制限を行うようにするために、複製管理情報を映像情報上に直接、視聴しても検知できない形で重畳する電子透かし方式が検討されている。本実施例は、これらの暗号化されたり、電子透かしが入れられたりしたＤＶＤ―ＲＯＭやＤＶＤ―ＲＡＭを再生することができる。
【００２３】
暗号方式検出回路１０は、蓄積媒体４０上に記録された、所定の暗号方式で暗号化されたディスクであることを示す情報を検出する。
【００２４】
電子透かし検出回路２０は、蓄積媒体４０上に記録された映像情報に重畳された電子透かしを検出する。
【００２５】
再生判定回路１５０は、条件に応じて、再生データ出力端子６０から動画像データを出力するかどうかを判定し、再生制限回路３０は判定結果に応じて、出力する場合には再生データ出力端子６０へ動画像データを供給し、出力しない場合には再生データ出力端子６０へ信号を供給しない。図２は、再生条件を示した図である。暗号化されているディスクの場合は、著作権保護された正規なディスクなので再生する。暗号化されていないディスクの場合で、電子透かし検出回路２０により電子透かしが検出された場合は、違法に複製されたディスクと見なし、再生を停止する。暗号化されていないディスクの場合で、電子透かし検出回路２０により電子透かしが検出されなかった場合は、著作権保護されていないディスクなのでそのまま再生する。これにより、違法に複製されたディスクの視聴を止めることができ、暗号化された正規なディスクを再生した時に電子透かしが誤検出されても誤って再生停止してしまうことがない。
【００２６】
図３は、本発明に係わる再生装置の実施例の信号の流れを示したブロック図である。図３において、１０は暗号化検出回路、２０は電子透かし検出回路、３０は再生制限回路、４０は蓄積媒体、５０は読み取り回路、６０は再生データ出力端子、７０は情報解析回路、１５０は再生判定回路である。
【００２７】
本実施例も、ＤＶＤ―ＲＯＭやＤＶＤ―ＲＡＭなどの蓄積媒体を再生するいわゆるドライブである。読み取り回路５０は蓄積媒体４０からデータを読み取り、読み取った符号化データを暗号化検出回路１０、電子透かし検出回路２０、再生制限回路３０および情報解析回路７０へ供給する。
【００２８】
暗号方式検出回路１０は、蓄積媒体４０上に記録された、所定の暗号方式で暗号化されたディスクであることを示す情報を検出する。
【００２９】
電子透かし検出回路２０は、蓄積媒体４０上に記録された映像情報に重畳された電子透かしを検出する。
【００３０】
情報解析回路７０は、電子透かし検出回路２０への入力データが電子透かしの検出回路が可能な正規な入力データであるかどうかを解析する。具体的には、本実施例では、ＭＰＥＧ２方式に合致した正規なデータであるかどうかを調べる。
【００３１】
再生判定回路１５０は、条件に応じて、再生データ出力端子６０から動画像データを出力するかどうかを判定し、再生制限回路３０は判定結果に応じて、出力する場合には再生データ出力端子６０へ動画像データを供給し、出力しない場合には再生データ出力端子６０へ信号を供給しない。図４は、再生条件を示した図である。暗号化されているディスクの場合は、著作権保護された正規なディスクなので再生する。暗号化されていないディスクの場合で、電子透かし検出回路２０により電子透かしが検出された場合は、違法に複製されたディスクと見なし、再生を停止する。暗号化されていないディスクの場合で、電子透かし検出回路２０により電子透かしが検出されなかった場合で、かつ、電子透かしの検出が可能な正規な入力データである場合は、著作権保護されていないディスクなのでそのまま再生する。暗号化されていないディスクの場合で、電子透かし検出回路２０により電子透かしが検出されなかった場合で、かつ、電子透かしの検出が可能でない不正な入力データである場合は、電子透かしの検出が不能になるように違法に暗号化されたディスクと見なし、再生を停止する。これにより、電子透かしの検出が不能になるように違法に暗号化されたディスクの視聴も止めることができる。
【００３２】
図５は、本発明に係わる復号装置の実施例の信号の流れを示したブロック図である。図５において、２０は電子透かし検出回路、８０は暗号解読回路、９０は出力制限回路、１００は符号化データ入力端子、１１０は暗号解読有無指定入力端子、１２０は選択回路、１３０は復号回路、１４０は復号データ出力端子、１６０は出力判定回路である。
【００３３】
本実施例は、ＭＰＥＧ２方式で圧縮符号化された動画像データを復号するいわゆるデコーダボードである。符号化データ入力端子１００にはＤＶＤ―ＲＯＭやＤＶＤ―ＲＡＭなどの蓄積媒体から再生された符号化データが入力される。
【００３４】
本実施例は、暗号化されたＤＶＤ―ＲＯＭやＤＶＤ―ＲＡＭから再生される符号化データを復号することができる。暗号解読回路８０がこの暗号を解く回路である。
【００３５】
暗号解読有無指定入力端子１１０には、暗号化されたディスクを再生する場合には暗号解読することを指示する信号が入力され、その他の場合には暗号解読しないことを指示する信号が入力される。選択回路１２０は暗号解読する場合には暗号解読回路８０で暗号解読された符号化データを選択し、暗号解読しない場合には符号化データ入力端子１００に入力された符号化データを選択し、復号回路１３０へ供給する。復号回路１３０はＭＰＥＧ２方式に基づく復号処理を行い、動画像データを復号する。復号された動画像データは復号データ出力端子１４０から出力される。
【００３６】
出力判定回路１６０は、条件に応じて、復号データ出力端子１４０から動画像データを出力するかどうかを判定し、出力制限回路９０は判定結果に応じて、出力する場合には復号データ出力端子１４０へ動画像データを供給し、出力しない場合には復号データ出力端子１４０へ信号を供給しない。図６は、出力条件を示した図である。暗号解読する場合は、著作権保護された正規な符号なので出力する。暗号解読しない場合で、電子透かし検出回路２０により電子透かしが検出された場合は、違法に複製されたディスクの再生データと見なし、出力を停止する。暗号解読しない場合で、電子透かし検出回路２０により電子透かしが検出されなかった場合は、著作権保護されていない符号なのでそのまま再生する。これにより、違法に複製されたディスクからの再生データの視聴を止めることができ、暗号化された正規なディスクからの再生データを復号した時に電子透かしが誤検出されても誤って出力停止してしまうことがない。
【００３７】
以上述べた実施例の説明は全て映像情報の場合を説明したが、音声情報の場合も、映像の符号化、復号化が音声の符号化、復号化になり、映像の電子透かしが音声の電子透かしになるだけで、実施例の構成は同様で、同様の効果が得られる。
【００３８】
図７は、複数の種類の蓄積媒体に対応した再生装置の実施例の信号の流れを示したブロック図である。図７において、１０は暗号化検出回路、２０は電子透かし検出回路、３０は再生制限回路、４０は蓄積媒体、５０は読み取り回路、６０は再生データ出力端子、１５０は再生判定回路、１７０は媒体及びフォーマット判別回路である。
【００３９】
本実施例は、ＤＶＤ―ＲＯＭとＤＶＤ―ＲＡＭの複数種類の蓄積媒体を再生するドライブである。読み取り回路５０は蓄積媒体４０からデータを読み取り、読み取った符号化データを暗号化検出回路１０、電子透かし検出回路２０、媒体及びフォーマット判別回路１７０および再生制限回路３０へ供給する。
【００４０】
ＤＶＤ―ＲＯＭの画像情報用（いわゆるＤＶＤ―Ｖｉｄｅｏフォーマット）に用意されている暗号方式は、ＣＳＳ(Content Scrambling System)方式と呼ばれている。ＤＶＤ―ＲＡＭでも同様の方式が検討されているが、ＣＳＳ方式とは異なる暗号方式である。また、ＤＶＤ―ＲＡＭの中でも、画像情報をＭＰＥＧ２方式で圧縮符号化しながら記録するためのリアルタイム記録フォーマットと、ＭＰＥＧ２方式で圧縮符号化済みのビットストリームをそのまま記録するためのストリーム記録フォーマットがある。ストリーム記録の場合は、圧縮符号化済みのビットストリームが暗号化された状態で送られてくる。リアルタイム記録フォーマットの暗号方式とストリーム記録フォーマットの暗号方式も、異なる暗号方式になると予想される。本実施例は、これら全てのディスクおよび暗号方式に対応した再生を行うことができる。
【００４１】
媒体及びフォーマット判別回路１７０は、蓄積媒体４０の種類と記録フォーマットを判別する。
【００４２】
暗号方式検出回路１０は、蓄積媒体４０の種類と記録フォーマットに応じて定められた所定の暗号方式で暗号化されていることを示す情報を検出する。
【００４３】
電子透かし検出回路２０は、蓄積媒体４０上に記録された映像情報に重畳された電子透かしを検出する。
【００４４】
再生判定回路１５０は、条件に応じて、再生データ出力端子６０から動画像データを出力するかどうかを判定し、再生制限回路３０は判定結果に応じて、出力する場合には再生データ出力端子６０へ動画像データを供給し、出力しない場合には再生データ出力端子６０へ信号を供給しない。図８は、再生条件を示した図である。ＤＶＤ―ＲＯＭのＶｉｄｅｏフォーマットで暗号方式がＣＳＳ方式の場合は、著作権保護された正規なディスクなので再生する。ＤＶＤ―ＲＡＭのリアルタイム記録フォーマットで暗号方式がリアルタイム記録フォーマット用暗号方式の場合は、著作権保護された正規なディスクなので再生する。ＤＶＤ―ＲＡＭのストリーム記録フォーマットで暗号方式がストリーム記録フォーマット用暗号方式の場合は、著作権保護された正規なディスクなので再生する。各フォーマットにおいて、暗号化されていないディスクの場合で、電子透かし検出回路２０により電子透かしが検出された場合は、違法に複製されたディスクと見なし、再生を停止する。暗号化されていないディスクの場合で、電子透かし検出回路２０により電子透かしが検出されなかった場合は、著作権保護されていないディスクなのでそのまま再生する。
【００４５】
本実施例によれば、異なる暗号方式が定められた複数種類の記録フォーマットのディスクを再生する場合にも、違法に複製されたディスクの視聴を止めることができ、暗号化された正規なディスクを再生した時に電子透かしが誤検出されても誤って再生停止してしまうことがない。
【００４６】
図９は、ＡＫＥ付き復号装置の実施例の信号の流れを示したブロック図である。図９において、２０は電子透かし検出回路、８０は暗号解読回路、９０は出力制限回路、１００は符号化データ入力端子、１２０は選択回路、１３０は復号回路、１４０は復号データ出力端子、１６０は出力判定回路、１８０はＡＫＥ回路である。
【００４７】
本実施例は、ＭＰＥＧ２方式で圧縮符号化された動画像データを復号するいわゆるデコーダボードである。符号化データ入力端子１００にはＤＶＤ―ＲＯＭやＤＶＤ―ＲＡＭなどの蓄積媒体から再生された符号化データが入力される。
【００４８】
本実施例はＡＫＥ回路１８０を内蔵し、ＤＶＤ―ＲＯＭドライブやＤＶＤ―ＲＡＭドライブなどの外部装置から暗号化された符号化データを受け取って復号する場合には、ＡＫＥ回路１８０により外部装置との間で認証とキー交換（いわゆるＡＫＥ）を行ってキーを取得し、このキーを用いて暗号解読を行う。暗号解読回路８０がこの暗号を解く回路である。
【００４９】
選択回路１２０はＡＫＥが成立して暗号解読する場合には暗号解読回路８０で暗号解読された符号化データを選択し、ＡＫＥが成立せず暗号解読しない場合には符号化データ入力端子１００に入力された符号化データを選択し、復号回路１３０へ供給する。復号回路１３０はＭＰＥＧ２方式に基づく復号処理を行い、動画像データを復号する。正規なＭＰＥＧ２データが入力され、復号が開始された場合には、電子透かし検出回路２０および出力判定回路１６０へ検出信号を送る。復号された動画像データは復号データ出力端子１４０から出力される。
【００５０】
電子透かし検出回路２０は、ＡＫＥが成立せずに復号が開始された場合に、復号された動画像データの電子透かしを検出する。
【００５１】
出力判定回路１６０は、条件に応じて、復号データ出力端子１４０から動画像データを出力するかどうかを判定し、出力制限回路９０は判定結果に応じて、出力する場合には復号データ出力端子１４０へ動画像データを供給し、出力しない場合には復号データ出力端子１４０へ信号を供給しない。図１０は、出力条件を示した図である。ＡＫＥが成立して暗号解読する場合で、復号が動作した場合は、著作権保護された正規な符号なので出力する。ＡＫＥが成立せず暗号解読しない場合で、復号が動作した場合は、電子透かし検出回路２０により電子透かしが検出された場合、違法に複製されたディスクの再生データと見なし、出力を停止する。ＡＫＥが成立せず暗号解読しない場合で、復号が動作した場合で、電子透かし検出回路２０により電子透かしが検出されなかった場合は、著作権保護されていない符号なのでそのまま出力する。復号が動作しなかった場合は、出力を停止する。出力しても良いが、復号が動作していないので、この時は意味のある動画像データは出力されない。
【００５２】
これにより、ＡＫＥの動作しない違法に複製されたディスクからの再生データの視聴を止めることができ、ＡＫＥが動作する暗号化された正規なディスクからの再生データを復号した時に電子透かしが誤検出されても誤って出力停止してしまうことがない。
【図面の簡単な説明】
【００５３】
【図１】本発明に係わる再生装置の実施例のブロック図。
【図２】本発明に係わる再生装置の実施例の再生条件を示す図。
【図３】本発明に係わる再生装置の実施例のブロック図。
【図４】本発明に係わる再生装置の実施例の再生条件を示す図。
【図５】本発明に係わる復号装置の実施例のブロック図。
【図６】本発明に係わる復号装置の実施例の出力条件を示す図。
【図７】本発明に係わる再生装置の実施例のブロック図。
【図８】本発明に係わる再生装置の実施例の再生条件を示す図。
【図９】本発明に係わる復号装置の実施例のブロック図。
【図１０】本発明に係わる復号装置の実施例の出力条件を示す図。
【符号の説明】
【００５４】
１０…暗号化検出回路、２０…電子透かし検出回路、３０…再生制限回路、４０…蓄積媒体、５０…読み取り回路、６０…再生データ出力端子、７０…情報解析回路、８０…暗号解読回路、９０…出力制限回路、１００…符号化データ入力端子、１１０…暗号解読有無指定入力端子、１２０…選択回路、１３０…復号回路、１４０…復号データ出力端子、１５０…再生判定回路、１６０…出力判定回路、１７０…媒体及びフォーマット判別回路、１８０…ＡＫＥ回路。
【図１】
2006236562.tif 000003
【図２】
2006236562.tif 000004
【図３】
2006236562.tif 000005
【図４】
2006236562.tif 000006
【図５】
2006236562.tif 000007
【図６】
2006236562.tif 000008
【図７】
2006236562.tif 000009
【図８】
2006236562.tif 000010
【図９】
2006236562.tif 000011
【図１０】
2006236562.tif 000012
【手続補正書】
【提出日】平成18年4月10日(2006.4.10)
【手続補正１】
【補正対象書類名】特許請求の範囲
【補正対象項目名】全文
【補正方法】変更
【補正の内容】
【特許請求の範囲】
【請求項１】
符号化された映像または音声情報を復号して出力する復号装置であって、
暗号化された入力符号化データを解読してもとの符号化された映像または音声情報を復元する暗号解読手段と、
符号化された映像または音声情報を復号する復号手段と、
映像または音声情報に重畳されている電子透かし情報を検出する電子透かし検出手段と、
前記暗号解読手段で復元されたか否かに基づいて、前記電子透かし検出手段の検出結果に従うかを決定する制御手段とを有することを特徴とする復号装置。
【請求項２】
符号化された映像または音声情報を復号して出力する復号装置であって、
暗号化された入力符号化データを解読してもとの符号化された映像または音声情報を復元する暗号解読手段と、
符号化された映像または音声情報を復号する復号手段と、
映像または音声情報に重畳されている電子透かし情報を検出する電子透かし検出手段と、
前記暗号解読手段で復元されたか否かに応じて、前記電子透かし検出手段の検出結果に従うかを切り替える制御手段とを有することを特徴とする復号装置。
【請求項３】
符号化された映像または音声情報を復号して出力する復号装置であって、
入力符号化データが暗号化されているかいないかに従って暗号解読の要または不要を示す暗号解読指定入力手段と、
前記暗号解読指定入力手段で暗号解読要と示された映像または音声情報を解読して符号化された映像または音声情報を復元する暗号解読手段と、
前記暗号解読手段で復元された又は前記暗号解読指定入力手段で暗号解読不要と示された、符号化された映像または音声情報を復号する復号手段と、
映像または音声情報に重畳されている電子透かし情報を検出する電子透かし検出手段と、
前記暗号解読指定入力手段で暗号解読要と示された映像または音声情報を前記復号手段で復号した出力については再生を許可し、前記暗号解読指定入力手段で暗号解読不要と示された映像または音声情報を前記復号手段で復号した出力については前記電子透かし検出手段によって検出した電子透かし情報に従って映像または音声情報の出力を制御する出力制御手段とを有することを特徴とする復号装置。
【請求項４】
請求項１から３のいずれかに記載の復号装置であって、
映像または音声情報を入力する供給装置との間の認証と前記暗号解読装置で用いるキーの交換を行うＡＫＥ手段を有することを特徴とする復号装置。
【請求項５】
符号化された映像または音声情報を供給装置から入力して、これを復号して映像または音声情報を出力する復号装置において、
前記供給装置との間の認証を行う認証手段と、
符号化された映像または音声情報を復号する復号手段と、
映像または音声情報に重畳されている電子透かし情報を検出する電子透かし検出手段と、
前記認証手段で認証が成立しない状態で前記復号手段で復号した場合、前記電子透かし検出手段で検出した電子透かし情報に従ってに従って制御する出力制御手段とを有することを特徴とする復号装置。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
上述の課題は、例えば特許請求の範囲に記載の発明によって解決される。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００５２
【補正方法】変更
【補正の内容】
【００５２】
これにより、ＡＫＥの動作しない違法に複製されたディスクからの再生データの視聴を止めることができ、ＡＫＥが動作する暗号化された正規なディスクからの再生データを復号した時に電子透かしが誤検出されても誤って出力停止してしまうことがない。
本実施形態は、以下も含む。
再生装置は、蓄積媒体に記録された映像または音声情報が所定の暗号方式で暗号化されているかどうかを検出する暗号化検出手段と、蓄積媒体に記録された映像または音声情報が所定の暗号方式で暗号化されていない場合に映像または音声情報に重畳されている少なくとも複製禁止を含む複製管理情報を示す電子透かし情報を検出する電子透かし検出手段と、蓄積媒体に記録された映像または音声情報が所定の暗号方式で暗号化されていない場合には電子透かし検出手段の検出結果によって何らかの複製管理情報が検出された時に映像または音声情報の再生を停止する再生制限手段を有することを特徴とする。
また、再生装置は、蓄積媒体に記録された映像または音声情報が所定の暗号方式で暗号化されていない場合に蓄積媒体に記録された映像または音声情報が電子透かし検出手段において電子透かし情報を検出できるような正規な映像または音声情報であるかどうかを解析する情報解析手段と、蓄積媒体に記録された映像または音声情報が所定の暗号方式で暗号化されていない場合には情報解析手段によって電子透かし情報を検出できるような正規な映像または音声情報ではないと判定された時にも映像または音声情報の再生を停止する再生制限手段を有することを特徴とする。
また、復号装置は、暗号化された入力符号化データを解読してもとの符号化された映像または音声情報を復元する暗号解読手段と、暗号解読手段を用いず入力符号化データを直接復号する場合に復号した映像または音声情報に重畳されている少なくとも複製禁止を含む複製管理情報を示す電子透かし情報を検出する電子透かし検出手段と、暗号解読手段を用いず入力符号化データを直接復号する場合には電子透かし検出手段によって何らかの複製管理情報が検出された時に映像または音声情報の出力を停止する出力制限手段を有することを特徴とする。
また、再生装置は、複数の蓄積媒体の種類および蓄積媒体上の記録フォーマットを判別する媒体およびフォーマット判別手段と、前記複数の蓄積媒体の種類および蓄積媒体上の記録フォーマットそれぞれに定められた暗号方式で暗号化されているかどうかを検出する暗号化検出手段と、蓄積媒体に記録された映像または音声情報が、媒体およびフォーマット判別手段で判別された蓄積媒体の種類および蓄積媒体上の記録フォーマットで定められた暗号方式で暗号化されていない場合には、電子透かし検出手段の検出結果によって何らかの複製管理情報が検出された時に、映像または音声情報の再生を停止する再生制限手段を有することを特徴とする。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
例えば、本発明によれば、符号化された映像または音声情報を復号する復号装置において、所定の暗号方式で暗号化されていない符号については電子透かしがあれば復号を止められるので違法に複製された蓄積媒体からの符号を復号しての視聴を止めることができ、所定の暗号方式で暗号化されている正規な符号については電子透かし情報が誤検出されたとしても復号が行われる。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
また、例えば、本発明によれば、ＡＫＥの動作しない違法に複製された蓄積媒体からの符号を復号しての視聴を止めることができ、ＡＫＥが動作する正規な符号については電子透かし情報が誤検出されたとしても復号が行われる。